(57)【要約】本発明の放電管１７は、ガラス管６０と、前記ガラス管６０の端部に配される口金７０と、を備え、前記ガラス管６０の端部には、外部から電力供給を受けるためのアウターリード６１が突出し、前記口金７０は、前記ガラス管６０に外嵌される本体部７１と、当該本体部７１の先端に配され前記アウターリード６１が挿入される挿入部７３とを含み、前記アウターリード６１は、その先端に屈曲部６２を有し、前記屈曲部６２が前記挿入部７３に挿入されることで前記口金７０と導通されてなることを特徴とする。
2009081609.tif 000002
【特許請求の範囲】
【請求項１】
ガラス管と、前記ガラス管の端部に配される口金と、を備え、
前記ガラス管の端部には、外部から電力供給を受けるためのアウターリードが突出し、
前記口金は、前記ガラス管に外嵌される本体部と、当該本体部の先端に配され前記アウターリードが挿入される挿入部とを含み、
前記アウターリードは、その先端に屈曲部を有し、前記屈曲部が前記挿入部に挿入されることで前記口金と導通されてなることを特徴とする放電管。
【請求項２】
前記屈曲部は、その屈曲している部位の外縁が湾曲してなることを特徴とする請求の範囲第１項に記載の放電管。
【請求項３】
前記屈曲部は、前記挿入部の内面に弾性的に接触していることを特徴とする請求の範囲第１項又は請求の範囲第２項に記載の放電管。
【請求項４】
前記屈曲部は、略平行に折り返された略Ｕ字状とされることを特徴とする請求の範囲第１項ないし請求の範囲第３項のいずれか１項に記載の放電管。
【請求項５】
前記屈曲部は、当該屈曲部の頂部から鋭角に折り返された略レ字状とされることを特徴とする請求の範囲第１項ないし請求の範囲第３項のいずれか１項に記載の放電管。
【請求項６】
前記屈曲部は、略直角に折り曲げられた２つの折曲部により折り返された略コ字状とされることを特徴とする請求の範囲第１項ないし請求の範囲第３項のいずれか１項に記載の放電管。
【請求項７】
前記屈曲部は、略直角に折り曲げられた１つの折曲部を有する略Ｌ字状とされることを特徴とする請求の範囲第１項ないし請求の範囲第３項のいずれか１項に記載の放電管。
【請求項８】
前記挿入部のうち前記アウターリードを挿入する側の端部は、テーパ状に形成されてなることを特徴とする請求の範囲第１項ないし請求の範囲第７項のいずれか１項に記載の放電管。
【請求項９】
請求の範囲第１項ないし請求の範囲第８項のいずれか１項に記載された放電管と、前記放電管に電力を供給するための外部電源と、前記放電管及び前記外部電源の取付母体となるシャーシとを備えることを特徴とする照明装置。
【請求項１０】
前記シャーシは、前記外部電源と電気的に接続された端子を備え、
前記端子は、前記放電管に備わる前記口金を嵌め込み可能な嵌合受部を有し、
前記放電管に備わる前記口金を前記嵌合受部に嵌め込むことで、前記放電管の前記シャーシへの取り付けと、前記放電管への電力の供給とが可能となることを特徴とする請求の範囲第９項に記載の照明装置。
【請求項１１】
前記嵌合受部は、前記口金の周面を取り囲む有端環状をなすことを特徴とする請求の範囲第１０項に記載の照明装置。
【請求項１２】
請求の範囲第９項ないし請求の範囲第１１項に記載の照明装置と、
前記照明装置からの光を利用して表示を行う表示パネルと、を備えることを特徴とする表示装置。
【請求項１３】
前記表示パネルが液晶を用いた液晶パネルであることを特徴とする請求の範囲第１２項に記載の表示装置。
【請求項１４】
請求の範囲第１２項又は請求の範囲第１３項に記載された表示装置を備えるテレビ受信装置。
【発明の詳細な説明】
【技術分野】
【０００１】
本発明は、放電管、照明装置、表示装置、及びテレビ受信装置に関する。
【背景技術】
【０００２】
例えば、液晶表示装置に代表される非発光型の光学素子を用いた表示装置においては、液晶パネル等の表示パネルに対して光を照射すべく、当該表示パネルの背面にはバックライト装置が設けられている。バックライト装置は、光源として複数の蛍光管（例えば冷陰極管）を備える構成が一般に知られているが、これら蛍光管を通電可能とするための当該蛍光管と送電線との接続作業は高い精度が求められ、かつ手間が掛かる作業である。そこで、例えば特許文献１に開示された蛍光管が、作業効率向上を狙う構成として知られている。【０００３】
特許文献１に開示された蛍光管は、その端部から引き出された引出線と、当該蛍光管に送電する電線と接続するための連結手段とを備え、当該連結手段は導電性のベースシートを備え、このベースシートの一端部が、前記連結手段内を貫通した通孔の一方の開口から挿入し前記電線を固定する第１の把持部として形成され、該ベースシートの他端部が、前記通孔の他方の開口より挿入されて前記蛍光管の引出線を把持する第２の把持部として形成されてなる引出線を把持するための把持部が設けられていることを特徴とする。
【特許文献１】特開２００６−９３０１１公報
【０００４】
（発明が解決しようとする課題）
ところで、蛍光管の組立時には、当該蛍光管の端部から引き出された引出線（以下、アウターリードともいう）を連結手段（以下、口金ともいう）に備わる把持部に挿入する作業が行われる。一般に、アウターリードは、ジュメット線と称される、鉄ニッケル合金線の心材を銅層で被覆したワイヤからなる。当該アウターリードを口金の把持部に挿入する際に、口金、蛍光管、或いは実装機の寸法ばらつき等により、アウターリードの先端部が把持部の挿入孔に挿入されずに当該把持部の端部と接触する場合がある。当該アウターリードはワイヤ形状をなすため、このような接触による曲げ応力に対して脆さを呈し、場合によっては、アウターリードが変形することがあった。【０００５】
このような変形を抑止する手段として、例えばアウターリードの径を大きくし、機械的強度を増大させる手段が考えられる。しかしながら、アウターリードの大径化は、蛍光管が点灯されて高温状態となった場合に、当該アウターリードと、蛍光管本体を構成するガラス管との熱膨張差による歪みを大きくし、ひいてはガラス管の破損に繋がる場合がある。【０００６】
また、把持部の挿入孔の径を大きくし、アウターリードを挿入し易くする手段も、上記変形の抑止手段としては有効であると考えられる。しかしながら、この手段によると、アウターリードの挿入後、当該アウターリードと把持部の内面との間に大きな空隙が生じることとなり、確実な把持を実現することが困難となる。
【発明の開示】
【０００７】
本発明は、上記のような事情に基づいてなされたものであって、簡便な構成にて、アウターリードと口金とを簡単かつ確実に接続することが可能な放電管を提供することを目的とする。また、本発明は、そのような放電管を備えることで歩留まりが良く、かつ、品質が安定した照明装置、表示装置、及びテレビ受信装置を提供することを目的とする。
【０００８】
（課題を解決するための手段）
上記課題を解決するために、本発明の放電管は、ガラス管と、前記ガラス管の端部に配される口金と、を備え、前記ガラス管の端部には、外部から電力供給を受けるためのアウターリードが突出し、前記口金は、前記ガラス管に外嵌される本体部と、当該本体部の先端に配され前記アウターリードが挿入される挿入部とを含み、前記アウターリードは、その先端に屈曲部を有し、前記屈曲部が前記挿入部に挿入されることで前記口金と導通されてなることを特徴とする。
【０００９】
このように、アウターリードの先端を予め屈曲させておくことにより、当該屈曲部は見掛け上の幅が大きくなり、屈曲部を有しない場合に比して見掛け強度を大きくすることができる。これにより、アウターリードを挿入部に挿入する際に、アウターリードの先端部と挿入部の端部とが接触した場合にも、当該接触による応力に耐えることができ、アウターリードの意図しない変形ないし損傷を抑止することが可能となる。その結果、アウターリードと、挿入部を備える口金とを接続する際に、歩留まりを低下させることなく、尚且つ確実に接続することが可能となる。
【００１０】
また、前記屈曲部は、その屈曲している部位の外縁が湾曲してなるものとすることができる。
このような構成によれば、アウターリードを挿入部に挿入する際に、アウターリードの先端部と、挿入部の端部とが接触した場合にも、当該湾曲部が挿入ガイドとして機能することで円滑な挿入を実現することができる。その結果、アウターリードの意図しない変形ないし損傷を抑止することができ、アウターリードと口金を確実に接続することが可能となる。
【００１１】
また、前記屈曲部は、前記挿入部の内面に弾性的に接触しているものとすることができる。
このような構成によれば、アウターリードの屈曲部は、弾性変形して挿入部に挿入された状態となるため、屈曲部と、挿入部の内面との間には、当該屈曲部の反発力により十分な把持力が得られることとなる。その結果、従来行われるアウターリードと挿入部との溶接作業を省略し得るため、作業効率を向上させることが可能となる。
【００１２】
なお、本発明に係る屈曲部の形状は、種々の態様とすることができる。
例えば、前記屈曲部は、略平行に折り返された略Ｕ字状とすることができ、あるいは当該屈曲部の頂部から鋭角に折り返された略レ字状とすることができる。その他、略直角に折り曲げられた２つの折曲部により折り返された略コ字状としたり、略直角に折り曲げられた１つの折曲部を有する略Ｌ字状としたりすることができる。
【００１３】
また、前記挿入部のうち前記アウターリードを挿入する側の端部は、テーパ状に形成されてなるものとすることができる。
このような構成によれば、挿入部にアウターリードを挿入する際に、当該挿入部の端部のテーパに倣って挿入されるため、アウターリードに掛かる外力を抑制することができ、当該アウターリードの変形を抑止することが可能となる。
【００１４】
次に、上記課題を解決するために、本発明の照明装置は、上記した放電管と、当該放電管に電力を供給するための外部電源と、これら放電管及び外部電源の取付母体となるシャーシとを備えることを特徴とする。
このような照明装置によると、アウターリードと口金とを簡単かつ確実に接続することが可能な放電管を備えることにより、歩留まりが良く、かつ安定した照明品質を確保することが可能となる。
【００１５】
また、前記シャーシは、前記外部電源と電気的に接続された端子を備え、前記端子は、前記放電管に備わる前記口金を嵌め込み可能な嵌合受部を有し、前記放電管に備わる前記口金を前記嵌合受部に嵌め込むことで、前記放電管の前記シャーシへの取付けと、前記放電管への電力の供給とが可能となるものとすることができる。
【００１６】
従来、放電管と外部電源とを電気的に接続する場合には、当該放電管から突出するアウターリードと、外部電源から延出するハーネスとを、例えばコネクタにより接続するものとされていた。この場合、コネクタとハーネスとを接続する作業は手作業で行われる場合が多く、この際ハーネスを断線させてしまう場合があった。
しかしながら、本発明によれば、放電管に備わる口金を、外部電源に接続された端子に備わる嵌合受部に嵌め込む構成としているため、ハーネスの断線等が生じず、確実な接続を実現することが可能となる。さらに、この嵌込み作業は、放電管をシャーシに取り付ける作業を兼ねるため、組立作業効率の向上を実現することが可能となる。
【００１７】
また、前記嵌合受部は、前記口金の周面を取り囲む有端環状をなすものとすることができる。
このような構成によれば、放電管に備わる口金を、有端環状をなす嵌合受部に嵌合するという簡易な作業によって、当該放電管のアウターリードと端子とを電気的に接続することができ、両者の接続に掛かる手間を省略することが可能となる。
【００１８】
さらに、上記課題を解決するために、本発明の表示装置は、上述した照明装置と、当該照明装置からの光を利用して表示を行う表示パネルと、を備えることを特徴とする。
このような表示装置によると、照明装置において歩留まりが良く、かつ安定した品質を確保することが可能となるため、当該表示装置においても低コストで安定した品質を確保することが可能となる。
【００１９】
前記表示パネルとしては液晶パネルを例示することができる。このような表示装置は液晶表示装置として、種々の用途、例えばテレビやパソコンのデスクトップ画面等に適用でき、特に大型画面用として好適である。
【００２０】
また、本発明のテレビ受信装置は、上記表示装置を備えることを特徴とする。
このようなテレビ受信装置によると、表示装置において低コストで安定した品質を確保することが可能であるため、低価格、かつ高品質のテレビ受信装置を提供することが可能となる。
【００２１】
（発明の効果）
本発明の放電管によると、簡便な構成にて、アウターリードと口金とを歩留まり良く、かつ確実に接続することが可能となる。また、本発明の照明装置、表示装置、及びテレビ受信装置によると、そのような放電管を備えることにより、低コストで、かつ安定した品質を得ることができる。
【図面の簡単な説明】
【００２２】
【図１】本発明の一実施形態に係るテレビ受信装置の概略構成を示す分解斜視図。
【図２】液晶表示装置の概略構成を示す分解斜視図。
【図３】図２の液晶表示装置のＡ−Ａ線断面の構成を示す断面図。
【図４】図２の液晶表示装置に備わるバックライト装置の概略構成を示す平面図。
【図５】図４のバックライト装置に備わる中継コネクタの概略構成を示す斜視図。
【図６】図５の中継コネクタと冷陰極管との接続構造を示す部分拡大正面図。
【図７】図４の中継コネクタの概略構成を示す側面図。
【図８】図７の中継コネクタとインバータ基板との接続構造を示す断面図。
【図９】図４のバックライト装置に備わる冷陰極管の概略構成を示す斜視図。
【図１０】図９の冷陰極管の要部拡大断面図。
【図１１】図９の冷陰極管における口金とアウターリードとの位置関係を示す正面図。
【図１２】図９の冷陰極管の組立てにおける口金へのガラス管の挿入態様を示す説明図。
【図１３】冷陰極管に備わるアウターリードの一変形例を示す断面図。
【図１４】冷陰極管に備わるアウターリードの一変形例を示す断面図。
【図１５】冷陰極管に備わるアウターリードの一変形例を示す断面図。
【符号の説明】
【００２３】
１０…液晶表示装置（表示装置）、１１…液晶パネル（表示パネル）、１２…バックライト装置（照明装置）、１４…シャーシ、１７…冷陰極管（放電管）、１９…中継コネクタ（端子）、３０…インバータ基板（外部電源）、５２…受入部（嵌合受部）、６０…ガラス管、６１…アウターリード、６２…屈曲部、６３…屈曲頂部（折曲部）、７０…口金、７１…本体部、７３…挿入部、ＴＶ…テレビ受信装置
【発明を実施するための最良の形態】
【００２４】
本発明の一実施形態を図１ないし図１２によって説明する。本実施形態では、液晶表示装置１０を備えるテレビ受信装置ＴＶについて例示する。
図１は本実施形態に係るテレビ受信装置ＴＶの概略構成を示す分解斜視図、図２は液晶表示装置１０の概略構成を示す分解斜視図、図３はその液晶表示装置１０のＡ−Ａ線断面の構成を示す断面図、図４はその液晶表示装置１０に備わるバックライト装置１２の概略構成を示す平面図である。【００２５】
本実施形態に係るテレビ受信装置ＴＶは、図１に示すように、液晶表示装置１０と、当該液晶表示装置１０を挟むようにして収容する表裏両キャビネットＣＡ，ＣＢと、電源Ｐと、チューナーＴと、スタンドＳとを備えて構成される。液晶表示装置（表示装置）１０は、全体として横長の方形を成し、短辺方向を鉛直線と一致させた縦置きの状態で収容されている。この液晶表示装置１０は、図２に示すように、表示パネルである液晶パネル１１（表示パネル）と、外部光源であるバックライト装置（照明装置）１２とを備え、これらがベゼル１３などにより一体的に保持されるようになっている。【００２６】
次に、液晶表示装置１０を構成する液晶パネル１１及びバックライト装置１２について説明する（図２ないし図４参照）。
液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極と、Ｒ（赤色），Ｇ（緑色），Ｂ（青色）等の各着色部が所定配列で配置されたカラーフィルタ等が設けられている。【００２７】
次に、バックライト装置１２について説明する。なお、バックライト装置１２は、いわゆる直下型のバックライト装置であって、液晶パネル１１のパネル面（表示面）の背面直下に、当該パネル面に沿って放電管（ここでは冷陰極管１７を用いている）を複数具備した構成となっている。【００２８】
バックライト装置１２は、上面側が開口した略箱型をなすシャーシ１４と、シャーシ１４の開口部を覆うようにして取り付けられる複数の光学部材１５（図示下側から順に拡散板、拡散シート、レンズシート、反射型偏光板）と、これら光学部材１５をシャーシ１４に保持するためのフレーム１６とを備える。さらに、シャーシ１４内には、冷陰極管１７と、冷陰極管１７をシャーシ１４に取り付けるためのランプクリップ１８（図４では省略）と、冷陰極管１７の両端部と接続される中継コネクタ（端子）１９と、冷陰極管１７群及び中継コネクタ１９群を一括して覆うランプホルダ２０とを備える。なお、当該バックライト装置１２においては、冷陰極管１７よりも光学部材１５側が光出射側となっている。【００２９】
シャーシ１４は、金属製とされ、矩形状の底板面とその各辺から立ち上がる側面とからなる浅い略箱型に形成されている。このシャーシ１４には、冷陰極管１７の光出射側とは反対側（シャーシ１４の底板の内面側）に反射シート１４ａが配設され、これにより光反射面が形成されている。【００３０】
反射シート１４ａは、合成樹脂製とされ、その表面が反射性に優れた白色とされており、図４に示すように、シャーシ１４の内面に沿ってそのほぼ全域を覆うように敷かれて一体化され、シャーシ１４の底面を構成している。この反射シート１４ａにより、冷陰極管１７から出射された光を拡散板等の光学部材１５側に反射させることが可能となっている。【００３１】
次に、中継コネクタ１９について図５ないし図８を用いて説明する。この中継コネクタ１９は、シャーシ１４に取り付けられ、冷陰極管１７の両端部に接続されてなるものである。
図５は中継コネクタ１９の概略構成を示す斜視図、図６は中継コネクタ１９と冷陰極管１７との接続構造を示す部分拡大正面図、図７は中継コネクタ１９の概略構成を示す側面図、図８は冷陰極管１７の口金７０が中継コネクタ１９に嵌め込まれた態様を示す説明図である。【００３２】
中継コネクタ１９は、図５に示すように、合成樹脂製のホルダ４０と、ホルダ４０内に収容したステンレス等の金属製の中継端子５０とから構成される。
ホルダ４０は、全体としてブロック状をなす箱状部４１と、箱状部４１の背面から底部側（シャーシ１４の背面側）へ突出する壁部４２（図７及び図８参照）とから構成される。【００３３】
箱状部４１には、その正面から側面（シャーシ１４の側縁部とは反対側の側面）に亘って開口する収容室４３が形成されている。収容室４３の開口部のうち上面側（図６の正面側、図７の上側）の開口部は、上面側から冷陰極管１７の端部（後述する口金７０）を嵌入させるための受入口４４とされ、正面側（図６の右側、図７の正面側）の開口部は、冷陰極管１７の端部（口金７０）を収容室４３に収容した状態において、冷陰極管１７のガラス管６０との干渉を回避するための逃がし口４５とされている。この逃がし口４５には、その開口縁を内側へ板状に張り出させた形態のストッパ４６が形成され、このストッパ４６により逃がし口４５の開口形状は略Ｕ字形に狭められている。この略Ｕ字形をなす逃がし口４５の開口幅は、口金７０の本体部７１の外径よりも小さく、かつ冷陰極管１７のガラス管６０の外径と同じかそれよりも僅かに大きい寸法とされている。逃がし口４５の開口縁における奥端部は半円形の凹部４７となっており、この凹部４７の曲率半径はガラス管６０の外周の曲率半径と同じかそれよりも僅かに大きい寸法とされている。また、逃がし口４５の開口縁における凹部４７より正面側の部位は、一対のガイド部４８とされている。【００３４】
また、壁部４２はシャーシ１４に設けられた取付孔１４Ｈに挿着可能な板状部材とされ、壁部４２の側面（図７の左右側）には一対の抜止め突起４９が形成されている。この抜止め突起４９は、中継コネクタ１９をシャーシ１４に挿着した際に、当該中継コネクタ１９がシャーシ１４から抜け出ることを抑止する機能を有する。【００３５】
一方、中継端子５０は、ホルダ４０の内部に保持されている。中継端子５０は、所定形状に打ち抜いた金属製の板材を曲げ加工したものであって、湾曲した板片からなる上下対称な一対の弾性押圧片５１と、当該弾性押圧片５１同士を繋いで底部をなす受入部５２（嵌合受部）と、背面側へ平板上に突出する基板用接続部５３とを備える。【００３６】
一対の弾性押圧片５１は、互いに離間する方向への弾性撓みを許容された状態で収容室４３内に収容されており、弾性押圧片５１が弾性撓みしていない自由状態における一対の弾性押圧片５１間の最小間隔は、冷陰極管１７の口金７０の本体部７１の外径よりも小さい寸法とされている。【００３７】
受入部５２は、冷陰極管１７に備わる口金７０の周面の一部を取り囲み、かつ冷陰極管１７の着脱を許容すべく上方に開口した有端環状をなしている（図８参照）。一方、基板用接続部５３は、箱状部４１の背面からホルダ４０外へ露出し、壁部４２に沿って当該ホルダ４０の底部側（図７における下側）へ突出している。【００３８】
かかる中継コネクタ１９をシャーシ１４に組み付ける際には、図８に示すように、ホルダ４０の壁部４２をシャーシ１４の内面側から取付孔１４Ｈに挿入し、抜け止め突起４９をシャーシ１４の背面における取付孔１４Ｈの開口縁部に係止させる。これにより、ホルダ４０がシャーシ１４に対して組み付け方向（取付孔１４Ｈの貫通方向）への移動を規制された状態に固定され、中継コネクタ１９がシャーシ１４に組み付けられることとなる。この場合、壁部４２及び基板用接続部５３は、シャーシ１４の背面側に突出した状態となる。【００３９】
次に、上記中継コネクタ１９に接続される冷陰極管１７について、図９ないし図１２を用いて説明する。
図９は冷陰極管１７の概略構成を示す斜視図、図１０はその冷陰極管１７の要部拡大断面図、図１１はその冷陰極管１７における口金とアウターリードとの位置関係を示す正面図、図１２はその冷陰極管１７の組立てにおける口金へのガラス管の挿入態様を示す説明図である。【００４０】
冷陰極管１７は、細長い管状をなしており、その長さ方向（軸線方向）をシャーシ１４の長辺方向に一致させた状態で、シャーシ１４内に多数本収容されている（図４参照）。冷陰極管１７は、図９に示すように、両端が封止された細長いガラス管６０と、当該ガラス管６０の両端部から突出する円形断面の細長い金属製（例えば、鉄ニッケル合金）のアウターリード６１と、ガラス管６０の両端部に配される略筒状の口金７０とを備える。
ガラス管６０の内部には水銀等が封入されるとともに、その内壁面に蛍光体が塗布されており、両端部の口金７０により被覆されている部位が非発光部位とされ、それ以外の中央の部位（つまり蛍光体が塗布されている部位）が発光部位とされている。【００４１】
一方、口金７０は、所定の形状に打ち抜かれた金属製（例えばステンレス製）の板材に、曲げ加工や叩出し加工を施して形成された単一部品である。口金７０は、ガラス管６０の両端部に外嵌された本体部７１と、その本体部７１の端部から延出して後述する挿入部７３を支持する支持部７２と、当該支持部７２の延出端部に備わりアウターリード６１の先端が挿入される挿入部７３とからなる。【００４２】
本体部７１は、全体としてガラス管６０と同心の円筒形をなし、本体部７１の内径はガラス管６０の外径よりも僅かに大きい寸法とされている。当該本体部７１には、その一部をスリット状に切欠することにより三対の弾性保持片７１Ａ，７１Ｂが周方向において等角度（つまり１２０°）のピッチで配置されるように形成されている。【００４３】
対をなす弾性保持片７１Ａ，７１Ｂのうち一方の第１弾性保持片７１Ａは、全体として軸線方向に（詳しくは、やや径方向内向きへ斜め方向に）片持ち状に延出した形態であって、その基端を支点として径方向に弾性撓みし得るようになっている。第１弾性保持片７１Ａの延出端部は、径方向外側へ斜めに曲げられ、その曲げの外側の面（つまり内側に臨む面）がガラス管６０の外周面と当接する当接部７４Ａを有する。この３片の第１弾性保持片７１Ａの当接部７４Ａを結ぶ仮想円は、本体部７１と同心の円形であり、この仮想円の径寸法は、第１弾性保持片７１Ａが弾性撓みしていない自由状態のときにはガラス管６０の外径よりも小さい寸法となっている。【００４４】
一方、対をなす弾性保持片７１Ａ，７１Ｂのうち他方の第２弾性保持片７１Ｂは、第１弾性保持片７１Ａに対して周方向に隣り合うように配置されている。第２弾性保持片７１Ｂは、全体として第１弾性保持片７１Ａとは反対側の方向に（詳しくは、やや径方向内向きへ斜め方向に）片持ち状に延出した形態となっていて、その基端を支点として径方向に弾性撓みし得るようになっている。第２弾性保持片７１Ｂの延出端部はガラス管６０の外周面に当接する当接部７４Ｂとなっており、この３片の第２弾性保持片７１Ｂの当接部７４Ｂを結ぶ仮想円は、本体部７１と同心の円形であり、この仮想円の径寸法は、第２弾性保持片７１Ｂが弾性撓みしていない自由状態のときにはガラス管６０の外径よりも小さい寸法となっている。【００４５】
上記本体部７１の端部から延出する支持部７２は、図１０及び図１１に示すように、本体部７１に対して面一状であって本体部７１からその軸線と平行に延出する基端部７２Ａと、基端部７２Ａの延出端から本体部７１の軸線に向かって径方向内向きに延出する中間部７２Ｂと、中間部７２Ｂの延出端から本体部７１の軸線方向と平行に延出する先端部７２Ｃとからなり、先端部７２Ｃの延出端に挿入部７３が連なっている。支持部７２の幅寸法は、当該支持部７２の長さ方向の寸法に対して十分に小さく、したがって、支持部７２は、本体部７１の径方向への弾性変形、径方向と交差する方向（支持部７２の長さ方向と交差する方向）への弾性変形、及び支持部７２自身を軸とする弾性的な捻れ変形が可能となっている。【００４６】
挿入部７３は、支持部７２の延出端から横方向へ張り出した部分を円筒形状に曲げ加工したものであり、その軸線方向を本体部７１の軸線方向とほぼ同一とするように配置されている。さらに、挿入部７３のうち本体部７１側（アウターリード６１の挿入側）の端部には、その周縁が内側に傾斜したテーパ形状ガイド部７５が形成されている。かかる挿入部７３は、支持部７２を弾性撓みさせつつ、口金７０の軸方向及び径方向へ変位し得るようになっている。【００４７】
上記した挿入部７３には、アウターリード６１の先端に設けられた屈曲部６２が挿入される。本実施形態では、屈曲部６２は、図１０に示すように、緩やかに湾曲した屈曲頂部６３によって略平行に折り返されてなり、全体として略Ｕ字状をなしている。屈曲部６２は、屈曲頂部６３を基点として挿入部７３の径方向への弾性変形、径方向と交差する方向（アウターリード６１の軸線方向と交差する方向）への弾性変形が可能となっている。当該屈曲部６２の幅（折り返しにより形成された見掛け上２本のアウターリード６１がなす幅、図１０における上下方向の幅）の寸法は、挿入部７３の内径と同じかそれよりも僅かに大きい寸法とされている。その結果、アウターリード６１の屈曲部６２は、挿入部７３に、場合によっては弾性変形を伴って挿入され、当該挿入部７３の内面に接触しているものとされている。【００４８】
次に、口金７０をガラス管６０に組み付ける工程を説明する。
組付けに際しては、ガラス管６０と口金７０とを、それぞれ把持装置（図示せず）で保持した状態で、口金７０とガラス管６０とを相対的に同軸で接近させ、本体部７１をガラス管６０の端部に外嵌させる。ガラス管６０の本体部７１への挿入を始めると、三対の弾性保持片７１Ａ，７１Ｂの当接部７４Ａ，７４Ｂがガラス管６０の外周に対して弾性的に当接し、挿入が進むのに伴って当接部７４Ａ，７４Ｂがガラス管６０の外周面上を摺接する。【００４９】
ガラス管６０の挿入を更に進めると、本体部７１を貫通したアウターリード６１の先端（屈曲部６２）が、挿入部７３の中空内に進入し始める。
ここで、口金７０、ガラス管６０、又は把持装置の寸法ばらつき等により、屈曲部６２の中心軸と挿入部７３の中心軸とが一致しない場合が生じ得る。この場合には、図１２に示すように、屈曲部６２と、挿入部７３の端部とが接触することとなる。しかしながら、屈曲部６２の湾曲面が、挿入部７３の端部に備わるテーパ形状ガイド部７５に倣うことで、当該挿入部７３の内側へ誘い込まれる力が作用する。さらに、当該アウターリード６１は弾性変形可能とされるとともに、挿入部７３は支持部７２により変位可能とされているため、屈曲部６２と挿入部７３との位置ずれが修正される。このように、屈曲部６２と挿入部７３との間に位置ずれが生じた場合にも、ガラス管６０の口金７０への挿入を更に進めることで、屈曲部６２と挿入部７３とが軸線方向において正規の組み付け位置に位置決めされ、円滑な挿入を行うことができる。このとき、屈曲部６２が挿入部７３の侵入側とは反対側の端部から大きく突出することがなく、挿入部７３から僅かに突出するか、挿入部７３の端部とほぼ同じ位置、若しくはその内部に位置することとなる。【００５０】
この後は、必要に応じて、以下の作業を行う。
すなわち、挿入部７３に対して縮径変形させるようにカシメ付けが行われ、カシメ付けられた挿入部７３とアウターリード６１とが溶接によって電気的導通可能に固着されて、口金７０とガラス管６０とが一体化される。以上により、組付けが完了し、冷陰極管１７が完成する。なお、特に本実施形態では、屈曲部６２が挿入部７３の内面に弾性的に接触しているため、相当の把持力が生じており、上記した溶接作業を省略することができる。【００５１】
上記のようにして製造された冷陰極管１７は、中継コネクタ１９に取り付けられる（図８参照）。取付けに際しては、冷陰極管１７を水平に向けた状態でシャーシ１４の底面に接近させ、ガラス管６０の両端部と口金７０とを中継コネクタ１９の収容室４３に嵌め込む。このとき、一つの弾性押圧片５１が、口金７０の本体部７１によって左右に拡開するように弾性撓みさせられ、本体部７１が一対の弾性押圧片５１の最小間隔部分を通過した後は、両弾性押圧片５１が、その弾性復元力によって本体部７１を収容室４３の奥側へ押し込み、本体部７１を受入部５２に当接させることで、冷陰極管１７の取付けが完了する。【００５２】
上記取付けにより、アウターリード６１は口金７０を介して中継端子５０（受入部５２）に電気的導通可能に接続される。さらに、一対の弾性押圧片５１の弾性復元力により、ガラス管６０がストッパ４６の凹部４７に押し付けられた状態に保持されており、冷陰極管１７の軸方向に見た場合、本体部７１の一部がストッパ４６と重なるように位置する。【００５３】
取り付けられた冷陰極管１７は、その両端部において一対の弾性押圧片５１に保持され、中継端子５０とこの中継端子５０の取付け母体であるホルダ４０を介してシャーシ１４に取り付けられる。【００５４】
シャーシ１４のうち冷陰極管１７が取り付けられた側と反対側の面（シャーシ１４の底板の外面、背面）には、シャーシ１４の長辺方向における両端部にインバータ基板（外部電源）３０が取り付けられている（図２参照）。インバータ基板３０は、冷陰極管１７に対する駆動電力として高周波電圧を生成するトランス等の回路部品（図示せず）を備え、当該回路部品と接続された受入電極部３１から冷陰極管１７に電力を供給する機能を有する。【００５５】
当該インバータ基板３０の組付けに際しては、シャーシ１４の背面側に突出した、中継コネクタ１９の壁部４２及びこの壁部４２に沿って配置されている基板用接続部５３が、受入電極部３１に差し込まれる。これにより、インバータ基板３０から中継コネクタ１９への電力供給が可能となる。【００５６】
以上のような、冷陰極管１７、当該冷陰極管１７を備えるバックライト装置１２、当該バックライト装置１２を備える液晶表示装置１０、当該液晶表示装置１０を備えるテレビ受信装置ＴＶは、以下のような作用効果を奏する。
本実施形態に係る冷陰極管１７は、ガラス管６０から突出するアウターリード６１がその先端に屈曲部６２を有し、当該屈曲部６２が口金７０に備わる挿入部７３に挿入されることで、アウターリード６１と口金７０とが導通する構成とされている。【００５７】
このように、アウターリード６１の先端に予め屈曲部６２を形成しておくことにより、当該屈曲部６２は見掛け上の幅が大きくなり、屈曲させない場合に比して見掛け強度を大きくすることができる。これにより、アウターリード６１を挿入部７３に挿入する際に、アウターリード６１の先端部と、挿入部７３の挿入側端部とが接触した場合にも、当該接触によるアウターリード６１の意図しない変形ないし損傷を抑止することが可能となる。これにより、アウターリード６１と、挿入部７３とを備える口金７０とを接続する際に、歩留まりを低下させることなく、かつ確実に接続することが可能となる。【００５８】
また、本実施形態では、屈曲部６２は、その屈曲している部位をなす屈曲頂部６３の外縁が湾曲してなるものとされている。
このような構成によれば、アウターリード６１を挿入部７３に挿入する際に、屈曲部６２と挿入部７３の端部とが接触した場合にも、湾曲して形成された屈曲頂部６３が挿入ガイドとして機能することで円滑な挿入を実現することができる。【００５９】
特に、本実施形態では、屈曲部６２は、挿入部７３の内面に弾性的に接触しているものとされている。
このような構成によれば、屈曲部６２は弾性変形して挿入部７３に挿入された状態となるため、屈曲部６２と挿入部７３との間には、当該屈曲部６２の弾性復元力により十分な把持力が得られることとなる。その結果、ガラス管６０と口金７０との組み付け作業において、従来行われるアウターリード６１と挿入部７３との溶接作業を省略し得るため、作業効率を向上させることが可能となる。【００６０】
また、本実施形態では、挿入部７３のうち、アウターリード６１を挿入する側の端部には、テーパ形状ガイド部７５が形成されている。
このような構成によれば、アウターリード６１を挿入部７３に挿入する際に、テーパ形状ガイド部７５に倣ってアウターリード６１が挿入部７３の内側へ導かれる。その結果、アウターリード６１に掛かる外力を抑制することができ、当該アウターリード６１の変形を抑止することが可能となる。【００６１】
また、本実施形態では、上記した冷陰極管１７が取り付けられるシャーシ１４は、インバータ基板３０と電気的に接続された中継コネクタ１９を備え、当該中継コネクタ１９に備わる受入部５２に、冷陰極管１７の端部に配された口金７０を嵌め込むことで、冷陰極管１７のシャーシ１４への取付けと、冷陰極管１７への電力供給とが可能な構成とされている。
このような構成によれば、冷陰極管１７に備わる口金７０を、インバータ基板３０に接続された中継コネクタ１９に備わる受入部５２に嵌め込む構成としているため、従来インバータ基板３０と冷陰極管１７との接続に使用されていたハーネスを省略することができ、当該ハーネスの断線等は発生しないため、冷陰極管１７とインバータ基板３０との電気的な接続を確実に行うことが可能となる。さらに、この嵌め込み作業は、冷陰極管１７をシャーシ１４に取り付ける作業を兼ねるため、組立作業効率の向上を実現することが可能となる。【００６２】
特に、本実施形態では、受入部５２は、口金７０の本体部７１の周面部を取り囲む有端環状をなすものとされている。
このような構成によれば、冷陰極管１７に備わる口金７０を、有端環状をなす受入部５２に嵌合するという簡易な作業によって、当該冷陰極管１７のアウターリード６１と中継コネクタ１９とを電気的に接続することができ、両者の接続に掛かる手間を省略することが可能となる。【００６３】
以上、本発明の実施形態について示したが、本発明は上記記述及び図面によって説明した実施形態に限定されるものではなく、例えば次のような実施形態も本発明の技術的範囲に含まれる。【００６４】
（１）上記した実施形態では、略Ｕ字状の屈曲部６２を有するアウターリード６１を採用したが、屈曲部の形状はこれに限定されるものではなく、以下に示すような形状の屈曲部を有するアウターリードを用いても良い。例えば、図１３に示すように屈曲頂部８２ａから鋭角に折り返された略レ字状の屈曲部８２を有するアウターリード８０としても良く、また、図１４に示すように略直角の屈曲頂部（折曲部）８４ａ，８４ｂにより折り返された略コ字状の屈曲部８４を有するアウターリード８３としても良い。その他、図１５に示すように１つの略直角の屈曲頂部８６ａにより折り曲げられた略Ｌ字状の屈曲部８６を有するアウターリード８５を選択しても良い。【００６５】
（２）上記した実施形態では、アウターリード６１は、ガラス管６０と同軸の位置から突出するものとしたが、アウターリード６１を配する位置はガラス管６０と同軸の位置に限らず、ガラス管６０の軸線に対して径方向に偏心した位置に配置しても良い。また、ガラス管６０から直線状に突出するアウターリード６１は、ガラス管６０の軸心と平行に限らず、ガラス管６０の軸心に対して斜め方向であっても良い。【００６６】
（３）上記した実施形態では、アウターリード６１の材料として鉄ニッケル合金を選択したが、例えばコバルト系の金属等、他の材料を用いても良い。【００６７】
（４）上記した実施形態では、口金７０に備わる挿入部７３を円筒形状としたが、これに限らず、四角形断面、三角形断面等、任意の形状を選択しても良い。【００６８】
（５）上記した実施形態では、口金７０の材料としてステンレスを選択したが、ステンレス以外の金属を用いても良く、金属以外の導電性樹脂や導電性ゴムを用いても良い。【００６９】
（６）上記した実施形態では、口金７０の本体部７１に弾性保持片７１Ａ，７１Ｂとして周方向に３対設けたものを例示したが、１対のもの、その他複数のものであっても良い。また、弾性保持片７１Ａ，７１Ｂは、前方又は後方へ片持ち状に延出する形態に限らず、前後両端が本体に支持された両端支持形態としても良い。【００７０】
（７）上記した実施形態では、中継端子５０は一対の弾性押圧片５１を備えるものとしたが、例えば弾性押圧片は１片だけであっても良い。この場合、弾性押圧片は冷陰極管１７を挟んで受入部５２と対向するように配置される。【００７１】
（８）上記した実施形態では、放電管として冷陰極管１７を使用した場合を示したが、例えば熱陰極管、キセノン管、蛍光灯等、他の種類の放電管を用いたものも本発明に含まれる。【００７２】
（９）上記した実施形態では、液晶表示装置１０のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。【００７３】
（１０）上記した実施形態では、表示パネルとして液晶パネル１１を用いた液晶表示装置１０を例示したが、他の種類の表示パネルを用いた表示装置にも本発明は適用可能である。
【図１】
2009081609.tif 000003
【図２】
2009081609.tif 000004
【図３】
2009081609.tif 000005
【図４】
2009081609.tif 000006
【図５】
2009081609.tif 000007
【図６】
2009081609.tif 000008
【図７】
2009081609.tif 000009
【図８】
2009081609.tif 000010
【図９】
2009081609.tif 000011
【図１０】
2009081609.tif 000012
【図１１】
2009081609.tif 000013
【図１２】
2009081609.tif 000014
【図１３】
2009081609.tif 000015
【図１４】
2009081609.tif 000016
【図１５】
2009081609.tif 000017
【国際調査報告】
2009081609.tif 000018
2009081609.tif 000019
2009081609.tif 000020
2009081609.tif 000021